(57)【要約】【課題】開封したことを確実に発見できる遊技機の基板ケースを提供すること。【解決手段】基板ケース１００は、上側シール装着部１０５を有する上ケース１０１と、下側シール装着部１０６を有する下ケース１０２と、両シール装着部１０５，１０６を被覆可能なシールカバー１０３とを備えている。そして、両シール装着部１０５，１０６間にロックピン１０９を介在させた状態で両者を重ね合わせてネジ止めし、両シール装着部１０５，１０６に跨がるようにＩＣタグ付きの封印シール１０８を貼着した後、両シール装着部１０５，１０６にシールカバー１０３を挿入する過程で、シールカバー１０３の傾斜ガイド部１０３ｅに当接させたロックピン１０９を持ち上げて上側シール装着部１０５の保持部１０５ｃに係止することにより、このロックピン１０９がシールカバー１０３のストッパ１０３ｄと対向するロック位置へ移動するようにした。【選択図】図１１
2012045206.tif 000002
【特許請求の範囲】
【請求項１】
第１ケースと第２ケースとを重ね合わせて固定することにより、これら両ケースの内部に遊技の制御を行う制御基板を収納可能であると共に、前記第１ケースと前記第２ケースにそれぞれシール装着部が設けられ、これら両シール装着部に跨がって識別情報が記憶されたＩＣタグ付きの封印シールを貼着可能となっている遊技機の基板ケースにおいて、
前記両シール装着部を被覆可能で内側壁に駆動突起とストッパを有するシールカバーと、前記両シール装着部の間に介設されるロックピンとを備えると共に、前記両シール装着部のいずれか一方に前記ロックピンを係止可能な保持部を設け、
前記両シール装着部に対して前記シールカバーを挿入するときに、前記ロックピンを前記駆動突起に当接させて前記保持部に係止させることにより、該ロックピンを前記ストッパと対向する位置へ移動させて前記シールカバーの脱落を阻止するようにしたことを特徴とする遊技機の基板ケース。
【請求項２】
請求項１の記載において、前記シールカバーに複数のスリットを介して繋がれた切除容易部が形成されており、この切除容易部を切断することによって前記ロックピンを臨む開口が形成されるようにしたことを特徴とする遊技機の基板ケース。
【請求項３】
請求項１または２の記載において、前記駆動突起が前記シールカバーの挿入方向に対して傾斜する傾斜ガイド部を有していると共に、前記ロックピンの長手方向両端が前記両シール装着部から外方へ昇降可能に突出しており、このロックピンの突出部が前記傾斜ガイド部と当接可能であることを特徴とする遊技機の基板ケース。
【発明の詳細な説明】
【技術分野】
【０００１】
本発明は、パチンコ機やスロットマシン等の遊技機に備えられる基板ケースに係り、特に、ＩＣタグ付きの封印シールを貼り付けて不正行為を防止するようにした遊技機の基板ケースに関するものである。
【背景技術】
【０００２】
パチンコ機やスロットマシン等の遊技機には遊技の制御を行う種々の制御基板が設けられており、通常、この制御基板は上ケースと下ケースとからなる基板ケース内に収納されて遊技機の裏面や筐体内部に着脱可能に取り付けられている。このような基板ケースは、制御基板に対する不正行為（例えば、遊技の主制御を行うためのプログラムが記憶された正規ＲＯＭを不正なプログラムが記憶された不正ＲＯＭに交換する行為や、所謂ぶら下がり基板と称する不正基板を制御基板に電気的に接続して正規の動作を妨げるようにする行為など）を防止するために、アンカーリベットやワンウェイネジ等の封印部材を用いて封印されており、この封印部材の一部を破壊しない限り封印状態を解除できないようになっている。
【０００３】
また、近年では、識別情報が格納されたＩＣタグが付いた封印シール（ＩＣタグ封印シール）を上ケース（第１ケース）と下ケース（第２ケース）とに跨るように貼り付けておき、不正にＩＣタグ封印シールを剥がそうとすると、ＩＣタグ封印シールが破損してリーダー機による識別情報の読み取りを不可能とすることにより、不正行為がなされたことを発見できるようにした技術が知られている（特許文献１参照）。
【先行技術文献】
【特許文献】
【０００４】
【特許文献１】特開２００９−２６１６４０号公報
【発明の概要】
【発明が解決しようとする課題】
【０００５】
しかしながら、不正行為を行う手口は日を追うごとに巧妙になってきており、ＩＣタグ封印シールを破損しないように剥がしてから基板ケースを開放し、基板ケース内に収納された制御基板の正規ＲＯＭを不正ＲＯＭに交換した後、再びＩＣタグ封印シールを貼り直すといった不正行為が行われるようになってきている。このような不正行為が行われると、ＩＣタグ封印シール自体は破損していないため、リーダー機で読み取った識別情報は正規のものとなり、リーダー機では不正行為を発見することができなくなる。しかも、ＩＣタグ封印シールが痕跡を残さずに上手に剥がされていると、目視確認によっても不正行為を発見することができず、遊技場（ホール）が被る被害が甚大なものとなっていた。
【０００６】
本発明は、上記した実情に鑑みてなされたものであり、その目的は、開封したことを確実に発見できる遊技機の基板ケースを提供することにある。
【課題を解決するための手段】
【０００７】
上記の目的を達成するために、本発明は、第１ケースと第２ケースとを重ね合わせて固定することにより、これら両ケースの内部に遊技の制御を行う制御基板を収納可能であると共に、前記第１ケースと前記第２ケースにそれぞれシール装着部が設けられ、これら両シール装着部に跨がって識別情報が記憶されたＩＣタグ付きの封印シールを貼着可能となっている遊技機の基板ケースにおいて、前記両シール装着部を被覆可能で内側壁に駆動突起とストッパを有するシールカバーと、前記両シール装着部の間に介設されるロックピンとを備えると共に、前記両シール装着部のいずれか一方に前記ロックピンを係止可能な保持部を設け、前記両シール装着部に対して前記シールカバーを挿入するときに、前記ロックピンを前記駆動突起に当接させて前記保持部に係止させることにより、該ロックピンを前記ストッパと対向する位置へ移動させて前記シールカバーの脱落を阻止するように構成した。
【０００８】
このように構成された遊技機の基板ケースでは、第１ケースと第２ケースとを両者のシール装着部間にロックピンを介在させた状態で重ね合わせると共に、両シール装着部に跨がるように封印シールを貼着した後、両シール装着部に対して外方からシールカバーを挿入すると、その挿入過程でシールカバーの駆動突起がロックピンを押圧して保持部に係止させるため、ロックピンがストッパと対向するロック位置へ移動してシールカバーの内部に恰も閂のようなロック機構が構築される。その結果、シールカバーをひとたび両シール装着部に取り付けてしまえば、第１ケースと第２ケースを開封するためにシールカバーを取り外そうとしても、ストッパがロックピンに当接してシールカバーの引き抜き方向の移動（脱落）は阻止される。したがって、第１ケースと第２ケースを開封して内部の制御基板に対する不正行為を実行する場合は、シールカバーの一部を破壊して内部のロック機構を解除する必要があり、その破壊箇所の痕跡を目視することで不正行為があったことを確実に発見することができる。
【０００９】
上記の構成において、シールカバーに複数のスリットを介して繋がれた切除容易部が形成されており、この切除容易部を切断することによってロックピンを臨む開口が形成されるようにしてあると、シールカバーの切除容易部を切断して開口内にロックピンを露出させた後、ニッパー等でロックピンを切断してその全長を短くすることにより、ストッパとロックピンとのロック状態を簡単に解除することができて好ましい。
【００１０】
また、上記の構成において、駆動突起がシールカバーの挿入方向に対して傾斜する傾斜ガイド部を有していると共に、ロックピンの長手方向両端が両シール装着部から外方へ昇降可能に突出しており、このロックピンの突出部がシールカバーの傾斜ガイド部と当接可能になっていると、シールカバーの挿入操作に伴ってロックピンを確実にロック位置へ移動させることができると共に、ストッパとロックピンとの閂構造による強固なロック機構を実現することができて好ましい。
【発明の効果】
【００１１】
本発明によれば、第１ケースと第２ケースのシール装着部にシールカバーを挿入するときに、シールカバーの駆動突起でロックピンを押圧してストッパと対向するロック位置へ移動させ、シールカバーの内部に恰も閂のようなロック機構が構築されるようになっているので、シールカバーをひとたび両シール装着部に取り付けてしまえば、第１ケースと第２ケースを開封するためにシールカバーを取り外そうとしても、ストッパがロックピンに当接してシールカバーの引き抜き方向の移動（脱落）は阻止される。したがって、第１ケースと第２ケースを開封して内部の制御基板に対する不正行為を実行する場合は、シールカバーの一部を破壊して内部のロック機構を解除する必要があり、その破壊箇所の痕跡を目視することで不正行為があったことを確実に発見することができる。
【図面の簡単な説明】
【００１２】
【図１】本発明の実施形態例に係る基板ケースが取り付けられたパチンコ機の外観斜視図である。
【図２】図１に示すパチンコ機のガラス扉を開けた状態の外観斜視図である。
【図３】図１に示すパチンコ機の背面図である。
【図４】本発明の実施形態例に係る基板ケースの外観斜視図である。
【図５】図４に示す基板ケースの正面図である。
【図６】図５のＡ−Ａ線に沿う断面図である。
【図７】図４の基板ケースに取り付けられるシールカバーの斜視図である。
【図８】図４の基板ケースに組み込まれるロックピンの斜視図である。
【図９】図８のロックピンを基板ケースの下ケースに組み込んだ状態を示す斜視図である。
【図１０】基板ケースの上ケースと下ケースに封印シールを貼り付ける状態を示す斜視図である。
【図１１】図７に示すシールカバーの取り付け手順を示す説明図である。
【発明を実施するための形態】
【００１３】
発明の実施の形態について図面を参照して説明すると、図１と図２に示すように、本実施形態例に係る基板ケースを備えたパチンコ機（遊技機）Ｐは、遊技場の島設備に設置される縦長方形状の機枠１と、機枠１に扉状に開閉自在に取り付けられた前面枠２と、前面枠２の内側に収容された遊技盤３と、前面枠２の前面に扉状に開閉自在に取り付けられ、中央に大きく開口部８が形成されたガラス扉４と、このガラス扉４の開口部８に取り付けられた透明なガラス板１０と、前面枠２の下側に開閉自在に配設され、遊技球を収容する受皿５を有する前面ボード６と、前面枠２の下部に設けられた発射装置９と、前面ボード６に取り付けられ、パチンコ球の発射強度を調整するハンドル７等を具備している。さらに、ガラス扉４の上部にはスピーカ２０が左右に１個ずつ取り付けられており、遊技に関する様々な効果音を発するようになっている。また、受皿５の側部には、遊技者が押下操作するタッチボタン６０が設けられている。
【００１４】
遊技盤３はその盤面（前面）に遊技領域３１を有しており、遊技者はガラス板１０を通して遊技領域３１を目視できるようになっている。遊技領域３１はガイドレール３２と遊技球規制レール３３によって略円形状に区画形成されており、発射装置９によって打ち出された遊技球はこの遊技領域３１内を流下する。また、遊技領域３１内には、特別図柄表示装置１７、演出表示装置３４、スルーチャッカ２１、普通図柄表示装置２２、電動チューリップ４９、ステージ３６、第１始動入賞口（始動口）３７ａ、第２始動入賞口（始動口）３７ｂ、一般入賞口３８、アウト口３９と遊技釘（図示せず）、風車（図示せず）、アタッカー装置４１等が設けられている。なお、遊技盤３に設けられたこれらの構成は公知であるため、各構成の詳しい説明は省略する。
【００１５】
図３に示すように、このパチンコ機Ｐの背面側には、主制御処理部１１、副制御処理部を構成する演出制御処理部１２ａ、特別図柄表示制御部１２ｂ、ランプ制御処理部１２ｃ、払出制御処理部１２ｅ、および普通図柄表示制御部１２ｆと、発射制御処理部１３と、賞球払出装置１４等が設けられている。
【００１６】
主制御処理部１１は、ＣＰＵ（Central Processing Unit）と、予め定められた制御プログラムを格納するＲＯＭ（Read Only Memory）と、生成された処理情報の一時記憶および記憶した情報の削除を行うＲＡＭ（Random Access Memory）等が実装されたメイン基板（制御基板）と、このメイン基板を収納する後述の基板ケース１００とを備えて構成されており、このＣＰＵがＲＯＭに格納された各種プログラムやデータを読み込んで実行することにより、遊技に関する主要な処理が行われる。なお、基板ケース１００は遊技盤３の裏面に支持部材等を介して設けられている。
【００１７】
副制御処理部を構成する演出制御処理部１２ａ、特別図柄表示制御部１２ｂ、ランプ制御処理部１２ｃ、払出制御処理部１２ｅ、および普通図柄表示制御部１２ｆは、主制御処理部１１からの指令（コマンド）を受けて、演出表示装置３４やスピーカ２０、その他の演出装置（ＬＥＤ装置など）などの制御を行う装置である。この副制御処理部を構成する各装置も、遊技盤３の裏面に支持部材等を介して設けられている。
【００１８】
演出制御処理部１２ａは遊技の演出に関する制御を行うためのものであり、特別図柄表示制御部１２ｂは主制御処理部１１で決定した特別図柄に関する表示の制御を行うためのものである。普通図柄表示制御部１２ｆは普通図柄に関する表示の制御を行うためのものであり、ランプ制御処理部１２ｃは主制御処理部１１からコマンドを受けて各種ランプや電飾の点灯制御を行うものである。また、払出制御処理部１２ｅは、ＣＲユニットからの信号を受けて遊技球を遊技者に貸し出すように賞球払出装置１４を制御する他、主制御処理部１１からの払出指令を受けて、所定個数の賞球を遊技者に対して払い出すように賞球払出装置１４を制御するためのものである。さらに、発射制御処理部１３は、ハンドル７の回動量に応じて発射装置９に対する作動の制御を行う装置である。
【００１９】
次に、前述した基板ケース１００の詳細な構造について図４〜図１１を参照しながら説明すると、本実施形態例に係る基板ケース（遊技機の基板ケース）１００は、矩形箱状の透明な上ケース１０１と、矩形箱状の透明な下ケース１０２と、断面コ字形状のシールカバー１０３とを備えている。そして、上ケース１０１と下ケース１０２の内部に収納空間が形成されており、この収納空間にＲＡＭ等が実装された前述のメイン基板１０４が収納されている（図６参照）。
【００２０】
上ケース１０１と下ケース１０２はスライド嵌合によって重ね合わされるようになっており、上ケース１０１には上側シール装着部１０５が形成され、下ケース１０２には下側シール装着部１０６が形成されている。図１０に示すように、これら両シール装着部１０５，１０６を重ね合わせて一対のネジ１０７で両者を固定した後、封印シール１０８が両シール装着部１０５，１０６に跨がって貼り付けられるようになっている。この封印シール１０８は裏面に粘着層が形成された矩形状のベースシートを備えた公知のものであり、粘着層にはＩＣタグ１０８ａが埋め込まれている。なお、ＩＣタグ１０８ａは、ベースシートの対角線に沿って延びる長尺状のアンテナと、アンテナの中央付近に配置されたＩＣチップとを備えており、ＩＣチップに記憶された固有の識別情報がリーダー機によって読み取り可能となっている。また、封印シール１０８のベースシートは手指を用いて簡単に破ることが可能であり、ベースシートを破ることによってＩＣタグ１０８ａも同時に切断される。
【００２１】
上側シール装着部１０５は上ケース１０１の短辺部から外方へ突出するプレート状の構造体であり、その中央付近の外縁部には切り欠き１０５ａが形成されている。また、上側シール装着部１０５の長手方向の両端部に位置する両側壁にはガイド溝１０５ｂが形成されており、これら両側壁の内側近傍にはそれぞれ保持部１０５ｃが形成されている。これら保持部１０５ｃは後述するロックピン１０９を保持可能となっており、図１１（ｃ）に示すように、これら保持部１０５ｃは所定間隔を存して対向する一対のスナップ脚片によって構成されている。
【００２２】
下側シール装着部１０６は下ケース１０２の短辺部から外方へ突出するプレート状の構造体であり、その中央付近の外縁部には切り欠き１０６ａが形成されている。また、下側シール装着部１０６の長手方向の両端部に位置する両側壁にはガイド溝１０６ｂが形成されており、上側シール装着部１０５と下側シール装着部１０６を図１０に示すように重ね合わせたとき、それぞれの切り欠き１０５ａ，１０６ａとガイド溝１０５ｂ，１０６ｂが上下方向に連続するようになっている。下側シール装着部１０６には前述したロックピン１０９が組み込まれるようになっており、このロックピン１０９の両端部はガイド溝１０６ｂから外方へ突出している。図８に示すように、ロックピン１０９は中央部にクランク状の屈曲部１０９ａを有する棒状体であり、上側シール装着部１０５と下側シール装着部１０６を重ね合わせたとき、この屈曲部１０９ａはそれぞれの切り欠き１０５ａ，１０６ａ内に露出するようになっている。
【００２３】
シールカバー１０３は一側面を開放した透明な樹脂成形品であり、上側シール装着部１０５と下側シール装着部１０６を一度に覆うことが可能な大きさの矩形の箱型形状を成している。図７に示すように、シールカバー１０３の天面には２つのスリット１０３ａと１つの長孔１０３ｂが所定間隔を存して列状に形成されており、これらスリット１０３ａと長孔１０３ｂの間は切除容易部１０３ｃとなっている。シールカバー１０３の底面にも同様のスリット１０３ａと長孔１０３ｂが形成されており、天面と底面の各スリット１０３ａ間も切除容易部１０３ｃとなっている。また、シールカバー１０３の長手方向の両端部に位置する一方の側面内壁にはストッパ１０３ｄと傾斜ガイド部１０３ｅが形成されており、他方の側面内壁にも同様のストッパ１０３ｄと傾斜ガイド部１０３ｅが形成されている。傾斜ガイド部１０３ｅは、詳しくは後述するが、下側シール装着部１０６に組み込まれたロックピン１０９を上側シール装着部１０５の保持部１０５ｃに係止させるための駆動突起であり、シールカバー１０３の両シール装着部１０５，１０６への挿入方向Ｘ１に沿って前傾姿勢で傾斜している。また、ストッパ１０３ｄはシールカバー１０３の天面寄りに形成された突起であり、挿入方向Ｘ１と直交するシールカバー１０３の厚み方向について見ると、傾斜ガイド部１０３ｅの下端側とストッパ１０３ｄの下面は所定間隔を存して離反しているが、傾斜ガイド部１０３ｅの上端側とストッパ１０３ｄの下面はほぼ同じ高さに位置している。
【００２４】
次に、このように構成された基板ケース１００にメイン基板１０４を収納して封印するまでの手順について、主として図９〜図１１を参照しながら説明する。まず、メイン基板１０４を下ケース１０２の内部にネジ止め固定した後、図９に示すように、下ケース１０２の下側シール装着部１０６にロックピン１０９に組み込み、このロックピン１０９の両端部をガイド溝１０６ｂから外方へ突出させる。しかる後、上ケース１０１を下ケース１０２にスライド嵌合して被せ、上ケース１０１と下ケース１０２との締結部（図示せず）を適宜固定すると共に、図１０に示すように、一対のネジ１０７を用いて上側シール装着部１０５と下側シール装着部１０６とを固定する。次に、封印シール１０８を上側シール装着部１０５と下側シール装着部１０６とに跨るように全体的に貼り付け、ＩＣタグ１０８ａの中央部を両切り欠き１０５ａ，１０６ａ上に位置させる。
【００２５】
しかる後、図１１（ａ）に示すように、シールカバー１０３を両シール装着部１０５，１０６に挿入して矢印Ｘ１方向へ押し込むと、その挿入途中で、まず下側シール装着部１０６に保持されたロックピン１０９が傾斜ガイド部１０３ｅの下端側に当接する。さらにシールカバー１０３を矢印Ｘ１方向へ押し込むと、ロックピン１０９と傾斜ガイド部１０３ｅとの当接箇所が次第に上端側へ移動していくため、ロックピン１０９が下側シール装着部１０６のガイド溝１０６ｂから上側シール装着部１０５のガイド溝１０５ｂに沿って持ち上げられていく。そして、図１１（ｂ）に示すように、シールカバー１０３を両シール装着部１０５，１０６の最奥部まで挿入すると、ロックピン１０９は傾斜ガイド部１０３ｅの上端側を乗り越える位置まで持ち上げられ、この時点で基板ケース１００の封印が完了して図４，５に示す状態となる。このとき、図１１（ｃ）に示すように、ロックピン１０９は傾斜ガイド部１０３ｅからの押圧力を受けて上側シール装着部１０５の保持部１０５ｃに係止されるため、以後、ストッパ１０３ｄとロックピン１０９とは同一平面で対向することとなる。なお、図１１（ａ）と（ｂ）は図５のＡ−Ａ線に沿う位置での断面図を示し、図１１（ｃ）は図５のＡ−Ａ線よりも若干内側（図５の上方）位置での断面図を示している。
【００２６】
このように封印が完了した状態の基板ケース１００においては、ロックピン１０９がストッパ１０３ｄと対向するロック位置へ移動してシールカバー１０３の内部に恰も閂のようなロック機構が構築されているため、図１１（ｄ）に示すように、シールカバー１０３を両シール装着部１０５，１０６から引き抜こうとして矢印Ｘ２方向へ移動すると、ストッパ１０３ｄがロックピン１０９に当接してシールカバー１０３の引き抜き方向の移動（脱落）が阻止される。なお、封印が完了した状態の基板ケース１００に対して、リーダー機をシールカバー１０３に近付けることにより、封印シール１０８のＩＣタグ１０８ａに記憶されている識別情報をリーダー機で読取ることができる。
【００２７】
基板ケース１００の封印を解除するときは、上記したストッパ１０３ｄとロックピン１０９によるロック機構を解除する必要がある。この場合、まず、両シール装着部１０５，１０６に取り付けられたシールカバー１０３の各切除容易部１０３ｃをニッパー等で切断することにより、シールカバー１０３の中央部分に図７の２点鎖線に沿った形状の開口を形成する。次に、この開口内に露出する封印シール１０８を剥がしてロックピン１０９の屈曲部１０９ａを露出させた後、この屈曲部１０９ａの適宜位置（例えば図８の２点鎖線で示す位置）をニッパー等で切断し、あるいは、封印シール１０８をわざわざ剥がさずに、封印シール１０８とロックピン１０９の屈曲部１０９ａとを一緒に切断する。これによりロックピン１０９が分断されてその全長が短くなるため、分断された各ロックピン１０９を互いに近付く方向へスライド移動して上側シール装着部１０５の側壁から内方へ引っ込める。その結果、ストッパ１０３ｄの移動領域にロックピン１０９が存在しなくなるため、シールカバー１０３を両シール装着部１０５，１０６から引き抜いて封印を解除することができる。
【００２８】
以上説明したように、本実施形態例に係る基板ケース１００では、上ケース１０１の上側シール装着部１０５と下ケース１０２の下側シール装着部１０６間にロックピン１０９を介在させた状態で両者を重ね合わせてネジ止めし、両シール装着部１０５，１０６に跨がるように封印シール１０８を貼着した後、両シール装着部１０５，１０６に対して外方からシールカバー１０３を挿入すると、その挿入過程でシールカバー１０３の傾斜ガイド部（駆動突起）１０３ｅがロックピン１０９を押圧して保持部１０５ｃに係止させて、このロックピン１０９をシールカバー１０３のストッパ１０３ｄと対向するロック位置へ移動するようになっているため、シールカバー１０３をひとたび両シール装着部１０５，１０６に取り付けてしまえば、シールカバー１０３の内部に閂のようなロック機構を構築することができる。これにより、両シール装着部１０５，１０６からシールカバー１０３を取り外そうとしても、ストッパ１０３ｄがロックピン１０９に当接するため、シールカバー１０３の引き抜き方向の移動（脱落）が阻止される。つまり、本実施形態例に係る基板ケース１００は、一旦封印が完了すると、シールカバー１０３の一部を破壊して内部のロック機構を解除しない限り、封印が解除されない構造となっている。したがって、基板ケース１００を不正に開封して不正なＲＯＭに交換するような行為が行われた場合には、内部のロック機構を解除するために封印シール１０８とロックピン１０９の切断を伴うことから、リーダー機で封印シール１０８の識別情報を読み取ることができなくなり、それによって不正行為がなされたことを確実に発見することができる。しかも、シールカバー１０３の各切除容易部１０３ｃを切断することで大きな開口が形成されるため、目視確認することによっても確実に不正行為の発見が可能となる。
【００２９】
また、本実施形態例に係る基板ケース１００では、シールカバー１０３に複数のスリット１０３ａや長孔１０３ｂを介して繋がれた切除容易部１０３ｃが形成されているため、この切除容易部１０３ｃをニッパー等で切断することにより、シールカバー１０３に内部の封印シール１０８やロックピン１０９を臨む開口を簡単に形成することができる。したがって、基板ケース１００の封印を解除するときに、シールカバー１０３の切除容易部１０３ｃを切断して開口内に封印シール１０８やロックピン１０９を露出させた後、ロックピン１０９を切断してその全長を短くすることにより、ストッパ１０３ｄとロックピン１０９とのロック状態を簡単に解除することができる。
【００３０】
なお、上記の実施形態例では、上ケース１０１の上側シール装着部１０５に保持部１０５ｃを形成し、シールカバー１０３を両シール装着部１０５，１０６に挿入する際に、下側シール装着部１０６に組み込んだロックピン１０９をシールカバー１０３の傾斜ガイド部（駆動突起）１０３ｅで押圧して保持部１０５ｃに係止させるようにしているが、これとは逆に、上側シール装着部１０５に組み込んだロックピン１０９を下側シール装着部１０６に形成した保持部に係止させることも可能であり、その場合は、シールカバー１０３に形成されるストッパ１０３ｄと傾斜ガイド部１０３ｅの関係を逆にすれば良い。
【００３１】
また、上記の実施形態例では、シールカバー１０３に複数のスリット１０３ａや長孔１０３ｂで繋がれた切除容易部１０３ｃを形成し、基板ケース１００の封印を解除するときに、この切除容易部１０３ｃをニッパー等で切断するようにしているが、切除容易部として他の構造のもの、例えばミシン目状や薄肉状の切除容易部をシールカバー１０３に形成するようにしても良い。
【００３２】
また、上記の実施形態例では、メイン基板１０４を収納する基板ケース１００について説明したが、それ以外にも、上記した演出制御処理部１２ａ、特別図柄表示制御部１２ｂ、ランプ制御処理部１２ｃ、払出制御処理部１２ｅ、および発射制御処理部１３の制御基板を収納するケースとして用いることも可能である。
【符号の説明】
【００３３】
１００  基板ケース
１０１  上ケース
１０２  下ケース
１０３  シールカバー
１０３ａ  スリット
１０３ｂ  長孔
１０３ｃ  切除容易部
１０３ｄ  ストッパ
１０３ｅ  傾斜ガイド部（駆動突起）
１０４  メイン基板
１０５  上側シール装着部
１０５ａ  切り欠き
１０５ｂ  ガイド溝
１０５ｃ  保持部
１０６  下側シール装着部
１０６ａ  切り欠き
１０６ｂ  ガイド溝
１０７  ネジ
１０８  封印シール
１０８ａ  ＩＣタグ
１０９  ロックピン
１０９ａ  屈曲部
【図１】
2012045206.tif 000003
【図２】
2012045206.tif 000004
【図３】
2012045206.tif 000005
【図４】
2012045206.tif 000006
【図５】
2012045206.tif 000007
【図６】
2012045206.tif 000008
【図７】
2012045206.tif 000009
【図８】
2012045206.tif 000010
【図９】
2012045206.tif 000011
【図１０】
2012045206.tif 000012
【図１１】
2012045206.tif 000013